(57)【要約】【課題】発光管の破裂時の衝撃により導電線および導電線に接続された線材が反射部による光の反射方向に移動された場合に、導電線または線材が金属製の部材に当接することによってショートするのを抑制することが可能な放電ランプを提供する。【解決手段】この放電ランプ（超高圧水銀ランプ１２）は、導電線１２６を支持するバルブ１２１と、バルブ１２１の発光部１２１ａから出射された光を反射するためのリフレクタ１２２と、バルブ１２１に支持された導電線１２６と端子部１２８とを電気的に接続するとともに、リフレクタ１２２により光が反射される矢印Ｂ方向に移動された際に、矢印Ｂ方向とは反対側の矢印Ａ方向に移動するように付勢されるねじりバネ１２７とを備えている。【選択図】図３
2009032424.tif 000002
【特許請求の範囲】
【請求項１】
導電線を支持する発光管と、
前記発光管の発光部から出射された光を反射するための反射部と、
前記発光管に支持された前記導電線と端子部とを電気的に接続するとともに、前記反射部により光が反射される第１の方向に移動された際に、前記第１の方向とは反対側の第２の方向に移動するように付勢される線材とを備えた、放電ランプ。
【請求項２】
前記線材は、バネ性を有しており、前記反射部により光が反射される前記第１の方向に移動された際の撓み変形による付勢力によって、前記第１の方向とは反対側の前記第２の方向に移動するように構成されている、請求項１に記載の放電ランプ。
【請求項３】
前記線材は、前記第１の方向に移動される際の移動量が大きくなるにしたがって、前記線材の撓み変形量が大きくなることにより、前記第２の方向への付勢力が大きくなるように構成されている、請求項２に記載の放電ランプ。
【請求項４】
前記線材は、前記第２の方向に移動するように付勢された状態で前記導電線と前記端子部とを電気的に接続するように取り付けられている、請求項１〜３のいずれか１項に記載の放電ランプ。
【請求項５】
前記線材の前記導電線に接続される一方端部は、前記発光管の前記発光部の前記第１方向側に配置され、
前記線材の前記端子部に接続される他方端部は、前記発光部の前記第１方向側で、かつ、前記反射部の前記第１方向側の端部近傍に配置されている、請求項１〜４のいずれか１項に記載の放電ランプ。
【請求項６】
前記反射部の前記第１方向側の端部近傍には、前記線材を挿入するための開口部が形成され、
前記線材は、前記他方端部側が前記反射部の前記開口部に挿入されることによって、前記反射部の外側で前記他方端部が前記端子部に接続されるように構成されている、請求項５に記載の放電ランプ。
【請求項７】
導電線を支持する発光管と、前記発光管の発光部から出射された光を反射するための反射部と、前記発光管に支持された前記導電線および端子部を電気的に接続する線材とを含む放電ランプを備え、
前記線材は、前記反射部により光が反射される第１の方向に移動された際に、前記第１の方向とは反対側の第２の方向に移動するように付勢されるように構成されている、プロジェクタ。
【発明の詳細な説明】
【技術分野】
【０００１】
この発明は、放電ランプに関し、特に、導電線を支持する発光管と、導電線と端子とを電気的に接続する線材とを備えた放電ランプに関する。
【背景技術】
【０００２】
従来、導電線を支持する発光管と、導電線と端子とを電気的に接続する線材とを備えた放電ランプが知られている（たとえば、特許文献１〜３参照）。
【０００３】
上記特許文献１に記載の反射形ランプは、リード線（導電線）を支持する内部取付けジャケットアセンブリ（発光管）と、リード線と端子部とを電気的に接続する取付けロッド（線材）と、内部取付けジャケットアセンブリの発光部から出射された光を反射するための反射器（反射部）とを備えている。
【０００４】
上記特許文献２に記載の反射鏡付放電ランプは、導電線を支持する発光管と、導電線と端子部とを電気的に接続する導入線（線材）と、発光管から出射された光を反射するための反射鏡（反射部）と、反射鏡の外側に設けられた反射鏡のカバーとを備えている。
【０００５】
上記特許文献３に記載の光源装置（放電ランプ）は、導電線を支持する発光管と、導電線と端子部とを電気的に接続する線材と、発光管から出射された光を反射するためのリフレクタ（反射部）とを備えている。
【０００６】
【特許文献１】特開平１１−２５７３６号公報
【特許文献２】特開２００２−３１９３１３号公報
【特許文献３】特開２００５−２５１７１１号公報
【発明の開示】
【発明が解決しようとする課題】
【０００７】
しかしながら、上記特許文献１の反射形ランプでは、内部取付けジャケットアセンブリが破裂した場合に、内部取付けジャケットアセンブリに支持されていたリード線が支持を失うとともに、破裂時の衝撃により取付けロッドおよび取付けロッドに接続されたリード線が反射器による光の反射方向に移動され、その結果、取付けロッドまたはリード線が反射器の光の反射方向の外側に設けられた部材に当接する可能性がある。したがって、特許文献１による反射形ランプでは、反射器の外側に設けられた部材が金属製である場合には、取付けロッドまたはリード線が金属製の部材に当接することによって、ショートする可能性があるという問題点がある。
【０００８】
また、上記特許文献２の反射鏡付放電ランプでは、発光管が破裂した場合に、発光管に支持されていた導電線が支持を失うとともに、破裂時の衝撃により導電線および導電線に接続された導入線が反射鏡による光の反射方向に移動され、その結果、導電線または導入線が反射鏡の光の反射方向の外側に設けられた反射鏡のカバーに当接する可能性がある。したがって、特許文献２による反射鏡付放電ランプでは、反射鏡のカバーが金属製である場合には、導電線または導入線がカバーに当接することによって、ショートする可能性があるという問題点がある。
【０００９】
また、上記特許文献３の光源装置では、発光管が破裂した場合に、発光管に支持されていた導電線が支持を失うとともに、破裂時の衝撃により導電線および導電線に接続された線材がリフレクタによる光の反射方向に移動され、その結果、導電線または線材がリフレクタの光の反射方向の外側に設けられた部材に当接する可能性がある。したがって、特許文献３による光源装置では、リフレクタの外側に設けられた部材が金属製である場合には、導電線または線材が金属製の部材に当接することによって、ショートする可能性があるという問題点がある。
【００１０】
この発明は、上記のような課題を解決するためになされたものであり、この発明の１つの目的は、発光管の破裂時の衝撃により導電線および導電線に接続された線材が反射部による光の反射方向に移動された場合に、導電線または線材が金属製の部材に当接することによってショートするのを抑制することが可能な放電ランプを提供することである。
【課題を解決するための手段および発明の効果】
【００１１】
この発明の第１の局面による放電ランプは、導電線を支持する発光管と、発光管の発光部から出射された光を反射するための反射部と、発光管に支持された導電線と端子部とを電気的に接続するとともに、反射部により光が反射される第１の方向に移動された際に、第１の方向とは反対側の第２の方向に移動するように付勢される線材とを備えている。
【００１２】
この第１の局面による放電ランプでは、上記のように、導電線を支持する発光管と、発光管の発光部から出射された光を反射するための反射部と、発光管に支持された導電線と端子部とを電気的に接続するとともに、反射部により光が反射される第１の方向に移動された際に、第１の方向とは反対側の第２の方向に移動するように付勢される線材とを設けることによって、発光管が破裂した場合に、発光管に支持されていた導電線が支持を失うとともに、破裂時の衝撃により導電線および導電線に接続された線材が反射部により光が反射される第１の方向に移動された場合にも、導電線および線材は付勢力により第１方向とは反対側の第２の方向へ移動される（戻される）。これにより、反射部により光が反射される第１の方向側に金属製の部材が配置されている場合において、導電線および線材が第１の方向に移動されたとしても、導電線および線材が金属製の部材から離間する方向に付勢力により移動される（戻される）ので、導電線および線材が金属製の部材に当接するのを抑制することができる。したがって、この放電ランプでは、反射部により光が反射される第１の方向側に金属製の部材が配置されている場合において、発光管の破裂時の衝撃により導電線および導電線に接続された線材が第１の方向に移動された場合にも、導電線または線材が金属製の部材に当接することによってショートするのを抑制することができる。
【００１３】
上記第１の局面による放電ランプにおいて、好ましくは、線材は、バネ性を有しており、反射部により光が反射される第１の方向に移動された際の撓み変形による付勢力によって、第１の方向とは反対側の第２の方向に移動するように構成されている。このように構成すれば、線材が光が反射される第１の方向に移動された際に、線材自体による付勢力によって、第１方向とは反対側の第２の方向に移動される（戻される）ので、線材を第２の方向に移動するように付勢するために他の部材を設ける必要がない。
【００１４】
この場合、好ましくは、線材は、第１の方向に移動される際の移動量が大きくなるにしたがって、線材の撓み変形量が大きくなることにより、第２の方向への付勢力が大きくなるように構成されている。このように構成すれば、反射部により光が反射される第１の方向側に金属製の部材が配置されている場合において、線材が金属製の部材へ近づく第１の方向に移動されればされるほど、大きな付勢力により部材から離間する第２の方向へ移動される（戻される）ので、導電線および線材が金属製の部材に当接するのをより抑制することができる。
【００１５】
上記第１の局面による放電ランプにおいて、好ましくは、線材は、第２の方向に移動するように付勢された状態で導電線と端子部とを電気的に接続するように取り付けられている。このように構成すれば、発光管の破裂時の衝撃により導電線および導電線に接続された線材が反射部により光が反射される第１の方向に移動される場合に、導電線および線材を第１の方向により移動しにくくすることができるので、導電線および線材が金属製の部材に当接するのをより抑制することができる。
【００１６】
上記第１の局面による放電ランプにおいて、好ましくは、線材の導電線に接続される一方端部は、発光管の発光部の第１方向側に配置され、線材の端子部に接続される他方端部は、発光部の第１方向側で、かつ、反射部の第１方向側の端部近傍に配置されている。このように構成すれば、線材全体を発光部の第１方向側に配置することができるとともに、発光部から線材までの距離を大きくすることができるので、発光部から出射された光が線材によって遮光されるのを極力抑制することができる。
【００１７】
この場合、好ましくは、反射部の第１方向側の端部近傍には、線材を挿入するための開口部が形成され、線材は、他方端部側が反射部の開口部に挿入されることによって、反射部の外側で他方端部が端子部に接続されるように構成されている。このように構成すれば、端子部を反射部の内側に配置しないので、発光部から出射された光が端子部によって遮光されるのを抑制することができる。
【００１８】
この発明の第２の局面によるプロジェクタは、導電線を支持する発光管と、発光管の発光部から出射された光を反射するための反射部と、発光管に支持された導電線および端子部を電気的に接続する線材とを含む放電ランプを備え、線材は、反射部により光が反射される第１の方向に移動された際に、第１の方向とは反対側の第２の方向に移動するように付勢されるように構成されている。
【００１９】
この第２の局面によるプロジェクタでは、上記のように、導電線を支持する発光管と、発光管の発光部から出射された光を反射するための反射部と、発光管に支持された導電線および端子部を電気的に接続する線材とを含む放電ランプを設け、線材を、反射部により光が反射される第１の方向に移動された際に、第１の方向とは反対側の第２の方向に移動するように付勢されるように構成することによって、発光管が破裂した場合に、発光管に支持されていた導電線が支持を失うとともに、破裂時の衝撃により導電線および導電線に接続された線材が反射部により光が反射される第１の方向に移動された場合にも、導電線および線材は付勢力により第１方向とは反対側の第２の方向へ移動される（戻される）。これにより、反射部により光が反射される第１の方向側に金属製の部材が配置されている場合において、導電線および線材が第１の方向に移動されたとしても、導電線および線材が金属製の部材から離間する方向に付勢力により移動される（戻される）ので、導電線および線材が金属製の部材に当接するのを抑制することができる。したがって、このプロジェクタでは、反射部により光が反射される第１の方向側に金属製の部材が配置されている場合において、発光管が破裂し、破裂時の衝撃により導電線および導電線に接続された線材が第１の方向に移動された場合にも、導電線または線材が金属製の部材に当接することによってショートするのを抑制することができる放電ランプを備えているので、ユーザが感電するなどの可能性を小さくすることができる。
【発明を実施するための最良の形態】
【００２０】
以下、本発明を具体化した実施形態を図面に基づいて説明する。
【００２１】
図１は、本発明の一実施形態による超高圧水銀ランプを備えたプロジェクタの構成を説明するための斜視図である。また、図２〜図５は、図１に示した本発明の一実施形態による超高圧水銀ランプを備えたプロジェクタの詳細な構成を説明するための図である。まず、図１〜図５を参照して、本発明の一実施形態による超高圧水銀ランプを備えたプロジェクタの構成について説明する。なお、本実施形態では、プロジェクタ１に設けられる超高圧水銀ランプ１２に本発明を適用した場合について説明する。
【００２２】
本発明の一実施形態による超高圧水銀ランプ１２を備えたプロジェクタ１のフレームは、図１に示すように、前部フレーム２、後部フレーム３、上部フレーム４および下部フレーム５によって構成されている。前部フレーム２には、映像を投影するための投影レンズ９が挿入される図示しないレンズ挿入部および内部の気温が上昇するのを抑制するための空気の排気口（図示せず）が形成されている。また、下部フレーム５の一方側面にも、空気の排気口５ａが形成されている。また、後部フレーム３および下部フレーム５の他方側面には、それぞれ、内部の気温が上昇するのを抑制するために外部から冷却用の空気を取り入れるための吸入口３ａおよび５ｂが形成されている。
【００２３】
また、下部フレーム５には、図１に示すように、光学部品が保持される金属製のキャスティング６が取り付けられている。このキャスティング６は、上部キャスティング７と、下部キャスティング８とから構成されている。また、上部キャスティング７には、投影レンズ９が装着されるレンズ装着部（図示せず）が形成されている。
【００２４】
また、プロジェクタ１は、光源としての超高圧水銀ランプ１２を冷却するための冷却ファン１０と、超高圧水銀ランプ１２全体を取り囲むように設けられたランプケース１１とを備えている。
【００２５】
また、ランプケース１１は、ランプケース本体１１ａと、超高圧水銀ランプ１２の光を出射する方向側を塞ぐように配置されたランプケース前部１１ｂとによって構成されている。ランプケース前部１１ｂは、超高圧水銀ランプ１２が発光することによって、高温にさらされるので、高温に耐えることが可能なように金属により製造されている。また、図２および図３に示すように、ランプケース前部１１ｂには、超高圧水銀ランプ１２から出射された光を通過させるための開口部１１ｃが形成されている。また、ランプケース前部１１ｂの超高圧水銀ランプ１２側には、超高圧水銀ランプ１２を所定の位置に配置することが可能なように取付部１１ｄ（図３参照）が形成されている。
【００２６】
ここで、本実施形態では、図２および図３に示すように、超高圧水銀ランプ１２は、発光部１２１ａ（図３参照）を有するガラス製のバルブ１２１と、発光部１２１ａから出射された光を反射するためのリフレクタ１２２と、発光部１２１ａを発光させる電力を供給するための陽極側の配線部材１２３および陰極側の配線部材１２４とを含んでいる。なお、バルブ１２１は、本発明の「発光管」の一例であり、リフレクタ１２２は、本発明の「反射部」の一例である。
【００２７】
バルブ１２１は、図３に示すように、発光部１２１ａの矢印Ａ方向側の内部に、端部にアノード（陽極）１２５ａを有する導電線１２５を保持している。また、バルブ１２１は、発光部１２１ａの矢印Ｂ方向側の内部に、端部にカソード（陰極）１２６ａを有する導電線１２６を保持している。
【００２８】
リフレクタ１２２は、ランプケース前部１１ｂの開口部１１ｃに反射光を通過させるために反射光を集光するように椀形状に形成されている。具体的には、リフレクタ１２２は、発光部１２１ａを取り囲むように配置されるとともに、発光部１２１ａから到達する光を反射する方向（矢印Ｂ方向）に向かって徐々に椀形状の直径が大きくなるように形成されている。また、リフレクタ１２２の矢印Ｂ方向側の端部近傍には、後述するねじりバネ１２７を挿入するための開口部１２２ａが形成されている。なお、ねじりバネ１２７は、本発明の「線材」の一例である。
【００２９】
また、カソード１２６ａ側の導電線１２６の、カソード１２６ａが取り付けられた矢印Ａ方向側の端部とは反対側の矢印Ｂ方向側の端部には、接続部材１２６ｂによってねじりバネ１２７の一方端部１２７ａが接続されている。具体的には、接続部材１２６ｂの表面において、導電線１２６とねじりバネ１２７の一方端部１２７ａとは半田によって接続するように構成されている。
【００３０】
また、本実施形態では、図２〜図４に示すように、線材のねじりバネ１２７は、一方端部１２７ａとは反対側の他方端部１２７ｂの近傍にねじり部１２７ｃを有している。また、ねじりバネ１２７は、バネ性を有しており、弾性的に撓み変形が可能なように構成されている。これにより、ねじりバネ１２７は、後述するように、矢印Ｂ方向に移動されて撓み変形された際に、撓み変形による付勢力によって、矢印Ａ方向に移動される。
【００３１】
また、ねじりバネ１２７は、弾性的に撓み変形するので、矢印Ａ方向への移動量が大きくなるにしたがって、撓み変形量が大きくなることにより矢印Ｂ方向への付勢力が大きくなる。また、ねじりバネ１２７の他方端部１２７ｂは、端子部１２８を介して陰極側の配線部材１２４に接続されている。具体的には、図１〜図３に示すように、端子部１２８は、板状の金属片１２８ａと、陰極側の配線部材１２４を接続するためのネジ１２８ｂおよびネジ止め部材１２８ｃとを有している。また、ねじりバネ１２７は、リフレクタ１２２の開口部１２２ａおよび金属片１２８ａに設けられた穴部１２８ｄに挿入され、他方端部１２７ｂおよびねじり部１２７ｃが、椀形状のリフレクタ１２２の外側に配置されるように構成されている。したがって、ねじりバネ１２７の一方端部１２７ａは、発光部１２１ａの矢印Ｂ方向側に配置されるとともに、他方端部１２７ｂは、発光部１２１ａの矢印Ｂ方向側で、かつ、リフレクタ１２２の矢印Ｂ方向側の端部近傍に配置される。これにより、発光部１２１ａからねじりバネ１２７までの距離を大きくすることができるので、発光部１２１ａから出射された光が、ねじりバネ１２７によって遮光されるのを極力抑制することが可能である。また、線材のねじりバネ１２７を用いていることにより、光が遮光されるのをより抑制することが可能である。
【００３２】
また、ねじりバネ１２７の他方端部１２７ｂは、金属片１２８ａに溶接１２８ｅにより接続されている。また、ねじりバネ１２７の一方端部１２７ａが接続部材１２６ｂにより導電線１２６に接続されるとともに、他方端部１２７ｂが端子部１２８の金属片１２８ａに接続された状態において、ねじりバネ１２７は、矢印Ａ方向に移動するように付勢するように撓み変形された状態で取り付けられている。また、ねじりバネ１２７は、導電性を有しているため、陽極側の配線部材１２３から陰極側の配線部材１２４へ電流を通電することが可能である。
【００３３】
また、図５に示すように、バルブ１２１が劣化などにより破裂した場合に、バネ性を有したねじりバネ１２７を上記のように取り付けることによって、ねじりバネ１２７は、当初取り付けられていた元の位置よりもランプケース前部１１ｂから離間する方向（矢印Ａ方向）に移動するように構成されている。具体的には、バルブ１２１が破裂した場合に、破裂時の衝撃によってバルブ１２１に保持されていた導電線１２６および導電線１２６に接続されたねじりバネ１２７が、ランプケース前部１１ｂに近づく方向（矢印Ｂ方向）に一旦移動されたとしても、移動により生じた撓み変形による付勢力によってランプケース前部１１ｂから離間する方向（矢印Ａ方向）に移動される。また、ねじりバネ１２７は、当初矢印Ａ方向に付勢するように撓み変形された状態で取り付けられているので、その撓み変形がなくなる位置までランプケース前部１１ｂから離間する方向（矢印Ａ方向）に移動される。これにより、ねじりバネ１２７は、当初取り付けられていた元の位置よりもランプケース前部１１ｂから離間する方向（矢印Ａ方向）に移動される。
【００３４】
本実施形態では、上記のように、導電線１２６を支持するバルブ１２１と、バルブ１２１の発光部１２１ａから出射された光を反射するためのリフレクタ１２２と、バルブ１２１に支持された導電線１２６および端子部１２８を接続するねじりバネ１２７とを含む超高圧水銀ランプ１２を設け、ねじりバネ１２７を、リフレクタ１２２により光が反射される矢印Ｂ方向に移動された際に、矢印Ｂ方向とは反対側の矢印Ａ方向に移動するように付勢されるように構成することによって、バルブ１２１が破裂した場合に、バルブ１２１に支持されていた導電線１２６が支持を失うとともに、破裂時の衝撃により導電線１２６および導電線１２６に接続されたねじりバネ１２７がリフレクタ１２２により光が反射される矢印Ｂ方向に移動された場合にも、導電線１２６およびねじりバネ１２７は付勢力により第１方向とは反対側の矢印Ａ方向へ移動される（戻される）。これにより、導電線１２６およびねじりバネ１２７が矢印Ｂ方向に移動されたとしても、導電線１２６およびねじりバネ１２７がランプケース前部１１ｂから離間する方向に付勢力により移動される（戻される）ので、導電線１２６およびねじりバネ１２７がランプケース前部１１ｂに当接するのを抑制することができる。したがって、このプロジェクタ１では、バルブ１２１が破裂し、破裂時の衝撃により導電線１２６および導電線１２６に接続されたねじりバネ１２７が矢印Ｂ方向に移動された場合にも、導電線１２６またはねじりバネ１２７が金属製のランプケース前部１１ｂに当接することによってショートするのを抑制することができる超高圧水銀ランプ１２を備えているので、ユーザが感電するなどの可能性を小さくすることができる。
【００３５】
また、本実施形態では、ねじりバネ１２７を、バネ性を設け、リフレクタ１２２により光が反射される矢印Ｂ方向に移動された際の撓み変形による付勢力によって、矢印Ｂ方向とは反対側の矢印Ａ方向に移動するように構成することによって、ねじりバネ１２７が光が反射される矢印Ｂ方向に移動された際に、ねじりバネ１２７自体による付勢力によって、第１方向とは反対側の矢印Ａ方向に移動される（戻される）ので、ねじりバネ１２７を矢印Ａ方向に移動するように付勢するために他の部材を設ける必要がない。
【００３６】
また、図６は、図１に示した一実施形態による超高圧水銀ランプに付勢されない線材を設けた比較例を示した図である。次に、図６を参照して、本発明の一実施形態による超高圧水銀ランプ１２に付勢されないワイヤー１２９を設けた場合（比較例）について説明する。
【００３７】
図６に示すように、バルブ１２１が破裂した場合に、破裂時の衝撃によってバルブ１２１に保持されていた導電線１２６および導電線１２６に接続されたワイヤー１２９が、ランプケース前部１１ｂに近づく方向（矢印Ｂ方向）に移動されると、導電線１２６およびワイヤー１２９は、付勢力を有さないので、そのままランプケース前部１１ｂに当接される可能性がある。この場合にも、陽極側の配線部材１２３からの電力の供給は継続されているので、導電線１２６またはワイヤー１２９が金属製のランプケース前部１１ｂに当接されることによって、ショートする可能性があるという不都合がある。
【００３８】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００３９】
たとえば、上記実施形態では、放電ランプの一例としての超高圧水銀ランプに本発明を適用した例を示したが、本発明はこれに限らず、線材を用いて電気的に接続する放電ランプであれば、超高圧水銀ランプ以外の他の放電ランプにも適用可能である。
【００４０】
また、上記実施形態では、線材の一例としてねじりバネを示したが、本発明はこれに限らず、図７に示す変形例のように、バネ性を有し、矢印Ｂ方向に移動された際に、撓み変形による付勢力（復元力）によって、矢印Ａ方向に移動することが可能な部材であれば、ねじりバネ以外の他の線材１３０を用いてもよい。
【００４１】
また、上記実施形態では、線材の一例としてバネ性を有するねじりバネを示したが、本発明はこれに限らず、反射部により光が反射される第１の方向（矢印Ｂ方向）に移動された際に、第１の方向とは反対側の第２の方向（矢印Ａ方向）に移動するように付勢される構成であれば、線材自体が付勢力を有さない構成であってもよい。すなわち、線材を付勢するための部材を別途設けてもよい。
【図面の簡単な説明】
【００４２】
【図１】本発明の一実施形態による超高圧水銀ランプを備えたプロジェクタの構成を説明するための斜視図である。
【図２】図１に示した本発明の一実施形態による超高圧水銀ランプの構成を示した斜視図である。
【図３】図１に示した本発明の一実施形態による超高圧水銀ランプの構成を示した断面図である。
【図４】図１に示した本発明の一実施形態による超高圧水銀ランプのねじりバネを示した斜視図である。
【図５】図１に示した本発明の一実施形態による超高圧水銀ランプの構成を示した断面図である。
【図６】図１に示した一実施形態による超高圧水銀ランプに付勢されない線材を設けた比較例を示した図である。
【図７】図１に示した一実施形態による超高圧水銀ランプにねじりバネ以外のバネ性を有した線材を設けた変形例を示した図である。
【符号の説明】
【００４３】
１          プロジェクタ
１２        超高圧水銀ランプ（放電ランプ）
１２１      バルブ（発光管）
１２１ａ    発光部
１２２      リフレクタ（反射部）
１２２ａ    開口部
１２６      導電線
１２７      ねじりバネ（線材）
１２７ａ    一方端部
１２７ｂ    他方端部
１２８      端子部
【図１】
2009032424.tif 000003
【図２】
2009032424.tif 000004
【図３】
2009032424.tif 000005
【図４】
2009032424.tif 000006
【図５】
2009032424.tif 000007
【図６】
2009032424.tif 000008
【図７】
2009032424.tif 000009